(57)【要約】      （修正有）【課題】四柱推命で、占い当該者の生誕年・月・日・時、四柱の其々の六十干支を嵩張る萬年暦などを用いずに、迅速で明解に知る。【解決手段】横列の最上段に西暦、年号、年の番号付干支。次段は横二列に上から月干支、節入り日・時分。下欄は縦列に十二ヶ月の日干支、詰り干支番号表である。六十干支が基本で陰陽五行説に鑑みる、四柱様態図解である両面回転盤のＡ面と、六区画項の要点説明のＢ面との連携で明確に対応。１９２４（大正１３、１・甲子）年から２０４３（改年２５、６０・癸亥）年まで、一周６０年×２段＝１２０年間の、誕生年・月・日・時の四柱推命六十干支番号求め両面回転盤。照合・一致確認の両円周欄は、前記１２０年間前後の延期間にも応用可能。両面操作盤は基本的に同心円に中心角６度の放射線状で円周を６０等分、外周欄両面に６０干支及び１２０年間の西暦・年号を配す。【選択図】図５
2020087390.tif 000002
【特許請求の範囲】
【請求項１】
折畳み式、又は重ね合せ式の両面窓孔付の基盤と操作盤を同心にして、軸支材で契合した横半転型の干支求め両面回転盤であって、操作盤Ａ面外周に６０干支、続く同心円欄の其々に四柱推命の生年・月・日・時の四柱様態を、中央に十干十二支で構成の６０干支を配す。操作盤Ｂ面外周に６０年間の西暦・年号を二段と６０干支。次段同心円欄は陰陽五行との関係を有し（１）から（６）項の六区画。Ａ面全体に関る要点説明と中央部に６０干支回転図を配す。基盤と操作盤（６０干支と西暦・年号両面一致の同方向回転）を組合せて、両面回転盤を横反転した際に、基盤のＡ面窓孔外周に陰陽五行に伴う十干支と下段に四柱の様態が。又、基盤Ｂ面窓孔外周に西暦・年号１０年間が二段と、十干支はＡ面との照合一致確認策。両面連携で構成の横半転型の干支求め表セット一体型の両面回転盤。
【請求項２】
折畳み式、又は重ね合せ式の両面窓孔付の基盤と操作盤を同心にして、軸支材で契合した横半転型の干支求め両面回転盤であって、操作盤Ａ面外周に６０干支、続く同心円欄の其々に四柱推命の生年・月・日・時の四柱を、中央に十干十二支で構成の６０干支を配す。操作盤Ｂ面外周に６０年間の西暦と年号を二段と６０干支。縦半転に伴う同方向回転策で操作盤のＡ面とＢ面は、３０干支分の１８０度のずれを有し、両面回転盤を縦半転した際に、基盤Ａ面の窓孔には外周に十干支、下段に四柱の様態。Ｂ面の窓孔には外周に西暦・年号１０年間が二段と番号・十干支で、両面の照合一致確認が可能で、下段はＡ面全体に関る要点説明の六区画の一区画項。両面連携で構成した縦半転型、六十干支求め綴じ帳セット両面回転盤。
【発明の詳細な説明】
【技術分野】
【０００１】  本発明は、四柱推命で占い当該者の、四柱六十干支番号求め両面回転盤に関する。
【背景技術】
【０００２】  四柱推命に関る図書は多岐亡羊で円形図など多く見るが、両面回転盤を対象としたのは見当たらない。六十干支は全てを示す基本的な根源で、四柱推命の四柱は年柱、月柱、日柱、時柱である。四柱様態を図解化し、その要点参考説明と連携し明解にする。【０００３】  Ａ面は六十干支と四柱様態を図説化。Ｂ面外周面は干支に加え西暦・年号を配す。次段の六区画（１）から（６）項はＡ面の要点参考説明欄、外周欄とは縁切し当図以外の図表など本来の時計廻りに統一を図る、Ｂ面中央に象徴的な六十干支回転図を配す。【０００４】  Ｂ面外周欄はＡ面と照合一致確認策。六十干支及び西暦・１８２４〜２０４３年、年号・大正１３年から新改年２５年迄。六十干支二巡で１２０年間を両面連携で干支求めの照合確認の為。Ｂ面外周欄は時計廻りと逆廻りは、Ａ面との連携による照合確認の解決策。
【先行技術文献】
【特許文献】
【０００５】
【特許文献１】特開  ２００７−２４１６８９  四柱推命六十干支求め表セット
【非特許文献】
【０００６】
【非特許文献１】精解  吉象  万年暦  （東洋書院）
【発明の概要】
【発明が解決しようとする課題】
【０００７】これは次のような欠点があった。
（イ）一般的に四柱推命関連書は殆どが五行について通り一遍の説明が通例、関係解釈や五行を理解しない限り奥に入って行けない世界。関連図書など多岐に亘る、理由は暦干支の出し方や解釈違い。読み方は五行との相互関係の基本が複雑で困難性が伴う。
（ロ）従来の萬年暦は上段が横列に年月、下段は縦に１２ヶ月分の日、一年間分見開きで２頁の干支名、嵩張る萬年暦を捲る時間損失と損耗、干支名は番号に比べ間違い易い。
本発明の四柱六十干支番号求め両面回転盤は、以上の様な欠点を補う為に成すもの。
【課題を解決するための手段】
【０００８】（イ）基盤と操作盤（厚紙又は木・アクリル板製等）の組み合わせ。基盤と操作盤を同心にして重ね合せて軸支材で契合し一体化、シンプルな両面回転盤である。
（ロ）両面回転盤はＡ面の表に対しＢ面は裏、表裏一体の同方向回転が不可欠。それに対応する印刷したフィムル類貼着や直接印刷等で解決を図る。
（ハ）操作盤は両面同心円で中心角６度の放射線状で円周を６０等分。両外周に六十干支を配す。加えてＢ面同欄に１８２４から２０４３年の年号・大正１３年から改新年２５年迄、１２０年間の西暦・年号を２段で対応、Ａ面の干支と照合・一致確認の為に配す。
（ニ）陰陽五行説に関する説明や関連図など数多くあるが、四柱推命関連は根幹となる陰陽五行がなおざりである。四柱様態の説明や解釈が其々で一体・明解性に欠ける。
（ホ）横半転型（図３）参照、記号１−ａ´と１−ｂ´の間に綴る。３年間の両面＝６年、１２０年÷６＝２０枚、これに加え時干支等を綴り帳として、ＡＢ両面から使用可（図４）。利便・迅速性に富んだ六十干支番号表。
【発明の効果】
【０００９】（イ）年柱は陰陽五行説に伴う「木、火、土、金、水」の五元素で「陰陽」を表現。又、アジア文化圏に現在も広く伝わる陰陽五行説による、天干と地支を中国、朝鮮、ベトナム名（外側から順）も列挙して、時代と国堺を超えて軌跡を理解し合う
（ロ）月柱は十二支月を四季に分け（Ａ面図示。但し新暦）。日柱と時柱は共に陰陽五行説の巡りとして捉える。Ｂ面中央部には象徴として回転操作盤は、十干の六角形と十二支の五角形の組み合せ方で、６０干支の組み方が見える機能である。【００１０】  Ｂ面外周の番号付き六十干支と、両面一致及び西暦・年号照合確認が目的で、四柱六十干支求め方策。依って、内側段・六区画其々の説明欄とは役割違いで縁切り（二重線・図参照）。前項目以外は図面を含め時計回りを基本に統一する。
【図面の簡単な説明】
【００１１】横半転型
【図１】  横半転型・折畳み又は重ね合せ式基盤（両面窓孔付）の斜視図。
【図２】  図１の基盤と操作盤の分解斜視図。
【図３】  図１の基盤に操作盤を組み合わせた斜視図。
【図４】  横半転型Ａ面（実線）と横半転型Ｂ面（点線）の斜視図。
【図５】  操作盤Ａ面の部分詳細図。
【図６】  操作盤Ｂ面の部分詳細図。
【図７】  操作盤Ａ面を基盤に組込んだ（１：甲子〜１０：癸酉）部分の詳細図。
【図８】  操作盤Ｂ面を基盤に組込んだ（１０：癸酉〜１：甲子）部分の詳細図。
【００１２】縦半転型
【図９】  縦半転型・折畳み又は重ね合せ式基盤（両面窓孔付）の斜視図。
【図１０】  図９の基盤と操作盤の分解斜視図。
【図１１】  図９の基盤に操作盤を組み込んだ斜視図。
【図１２】  縦半転型Ａ面（実線）と縦半転型Ｂ面（点線）の斜視図。
【図１３】  六十干支表及び四柱に関る年・月・日・節入日時及び時柱番号綴り帳
【図１４】  操作盤Ａ面の部分詳細図。
【図１５】  操作盤Ｂ面の部分詳細図。
【図１６】  操作盤Ａ面（３１・甲午〜４０・癸卯）を基盤に組込んだ部分の詳細図。
【図１７】  操作盤Ｂ面（４０・癸卯〜３１・甲午）を基盤に組込んだ部分の詳細図。
【００１３】横・縦半転両型兼用干支表
【図１８】  六十干支順位番号・干支表
【図１９】  図２０の誕生年、月、節入り日時など干支番号表の上部分拡大図
【図２０】  四柱推命  誕生年柱、月年柱、節入り日時表。
【図２１】  四柱推命  時干支番号表１及び２
【発明を実施するための形態】
【００１４】（イ）基盤と操作盤を同心にして軸支材で契合し一体化。盤操作により基盤の窓孔（記号５−ａ）（記号５−ｂ）から、迅速且つ明確に確認。
（ロ）六十干支は基本となる最も大切で、６０年間で繰返される事に着眼。操作盤は中心角６度の放射線状で円周３６０度を６０等分、両外周面に６０干支を配す。加えてＢ面は１９２４（大正１３）年から２０４３（改年２５）年まで、一周６０年の２段で１２０年間の西暦と年号を配す。Ａ面の干支と照合一致確認の役目を課す。
（ハ）更に下段の同心円欄Ａ面全体に、四柱推命の陰陽五行に関わる年、月、日、時の四柱様態を表現。Ｂ面は五行説に鑑み六区画項、（１）四柱推命理論、（２）十干十二支、（３）陰陽五行説、（４）陰陽論と五行の結合、（５）五行の相関関係、（６）五行の配当、以上Ａ面解説図に関る要点説明項。
（ニ）操作盤文字は直接又は印刷フィルム貼文字、盤は同心円で表裏、Ａ面は時計回り文字に対し、Ｂ面外周の干支他文字は時計と逆回り文字が不可欠。図５と６、図１４と１５は表裏一体（表裏貼合せの為）同方向回転が絶対条件。
（ホ）前記横半転型に対し、縦半転型の回転操作盤Ａ面（干支順位１、甲子）の文字面盤に対しＢ面は（干支順位、３１甲午）と合致、即ち縦に１８０度の半転の為に干支順位３０（半分）を、ずらす事が不可欠。
（ヘ）操作盤ＡＢ両面に欠かせぬ陰陽五行の五色配当。視覚的効果で着色を施し前記形態の示しに限らず目的に応じ、本発明の範囲内で変更が可能。基盤、操作盤、軸支部材など大きさや形等は用途に合わせ、適宜選択変更できる。
【符号の説明】
【００１５】１−１    横半転型基盤
２        回転操作盤
３        支軸材
４        中心
１−ａ    基盤Ａ面
１−ｂ    基盤Ｂ面
１−ａ´  基盤Ａ面：六十干支番号表  綴じカバー
１−ｂ´  基盤Ｂ面：六十干支番号表  綴じカバー
２−ａ    基盤Ａ面下部半面  押さえカバー
２−ｂ    基盤Ｂ面下部半面  押さえカバー
５−ａ    窓孔Ａ面
５−ｂ    窓孔Ｂ面
１−２    縦半転型基盤
２        回転操作盤
３        支軸材
４        中心
１−ａ    基盤Ａ面
１−ｂ    基盤Ｂ面
３−ａ    窓孔Ａ面
３−ｂ    窓孔Ｂ面
５−ａ    窓孔Ａ面
５−ｂ    窓孔Ｂ面
６−ａ    窓孔Ａ面
６−ｂ    窓孔Ｂ面
７−ａ    説明表示Ａ面
７−ｂ    説明表示Ｂ面
２        横、縦半転型両面回転盤共用
０−１    ６０干支順位番号
０−２    干支名
０−３    干支音読み
０−４    干支訓読み（日本語）
０−５    西暦・年号
０−６    西暦・年号
０−７    六十干支順位番号
０−８    六十干支名
【発明の概要】
【発明が解決しようとする課題】
【００１６】
【発明の概要】
（イ）回転操作盤面はＡ面の表面に対しＢ面は裏面であり、表裏一体の同方向回転不可欠。それに対応する印刷したフィルム貼着や直接印刷等で解決を図る。
（ロ）操作盤はＡ・Ｂ両面が同心円で、中心角６度の放射線状で円周３６０度を６０等分し、六十干支および西暦・年号など其々の役割に対応する。
（ハ）Ａ面外周に六十干支、次段同心円欄に年柱を陰陽五行「木・火・土・金・水」の五元素等表す。アジア圏に伝わる天干と地支の呼名は、中国・朝鮮・ベトナム（外側から順に）を列挙し、時代と国堺を超え軌跡を理解し合う。月柱は十二支月を四季に（様態図参照）、更に日柱・時柱共に陽と陰の巡りとして捉える。
（ニ）Ｂ面は外周に西暦・年号と六十干支を配す。本来は時計回りを正とするも、Ｂ面はＡ面の裏面となり、表裏一体の同方向回転方策で逆回り。Ａ面外周の六十干支と両面一致照合と、当該年の干支と西暦・年号の一致確認が目的である。依って、その内側の６区画面説明欄とは役割上縁切り。（図９二重線参照）
（ホ）内段の六区画面は、（１）四柱推命理論、（２）十干十二支、（３）陰陽五行説、（４）陰陽論と五行の結合、（５）五行の相関関係、（６）五行の配当、以上六区画項は其々の要点を纏めたＡ面図解の参考説明項。
（ヘ）年柱は１９２４（大正１３）年（干支順位１・甲子）を起点に、２０４３（新改年２５）年（６０・癸亥）まで、一周６０年が２段（６０干支は二巡）で１２０年間を四柱推命六十干支番号求め表の対象とする。１頁３年両面刷りで６年、１２０年÷６＝２０枚に加え時干支（１、２表）と順位番号・六十干支表綴じ込み。（横半転型は６０干支表のみ外面に貼着。（１−ａ、１−ｂ）の表下部斜点線面面（図４参照）
【発明の効果】
【００１７】（イ）四柱推命理論や用語など更に解り易い理解方法に視覚的効果（五色着色等）を図り、陰陽五行の認識が高められる。
（ロ）Ａ面外周欄に順位番号・六十干支（干支の音と訓読み振仮名付）を配す。二段目同心円に年柱を表わし、陰陽五行説で「木・火・土・金・水」の五元素を表現。アジア文化圏に広く伝わる天干と地支を上から順に、中国・朝鮮・ベトナム名を列挙し、時代と国堺を超えて軌跡を理解し合う。三段目の月柱は十二支月を四季に春が寅卯辰、夏が巳午未、秋が申酉戌、冬が亥子丑。四段目同心円に日柱、五段目に時柱を表わし、Ａ面は陰陽五行の巡りとして捉える。
（ハ）Ｂ面は外周に西暦・年号と六十干支を配す。本来時計回りを正とするもＢ面はＡ面の裏面であり、表裏同方向回転策で逆回り。Ａ面外周の六十干支と両面一致の照合と西暦・年号確認が役割で、区画面の説明欄とは切り離す（Ｂ面説明図参照）。
（ニ）基盤の窓孔は中心円角６０度。操作盤は陰陽五行に伴う干支順位番号１甲子〜１０癸酉から１１〜２０、２１〜３０、３１〜４０、４１〜５０、最後の５１甲寅〜６０癸亥の順で一巡する。基盤の窓孔には両面共、前記の順序で回転盤を合致させる事が基本である。
（ホ）四柱の様態図で様々な理解が図れる。例えば図７はＡ面操作盤を組込んだ図であり、前項（ニ）の五行に伴う干支順位１甲子〜１０癸酉である。Ａ面窓孔形は十干と十二支の関係、又、十干と十二支の数の違いで生れる現象。年柱で十二支の「戌亥」部分が空亡であり、空亡は子丑、寅卯、辰巳、午未、申酉、戌亥で、通常の説明では理解し難い。（占いは特許の分野で無く、これ以上は入らない）
（ヘ）図解化により様々な視覚的効果が見られる。中国の陰陽五行思想は日本に深く浸透、理に基づき生きてきた。陰陽五行の理に基づく様々な発見があり効果的である。
【図１】
2020087390.tif 000003
【図２】
2020087390.tif 000004
【図３】
2020087390.tif 000005
【図４】
2020087390.tif 000006
【図５】
2020087390.tif 000007
【図６】
2020087390.tif 000008
【図７】
2020087390.tif 000009
【図８】
2020087390.tif 000010
【図９】
2020087390.tif 000011
【図１０】
2020087390.tif 000012
【図１１】
2020087390.tif 000013
【図１２】
2020087390.tif 000014
【図１３】
2020087390.tif 000015
【図１４】
2020087390.tif 000016
【図１５】
2020087390.tif 000017
【図１６】
2020087390.tif 000018
【図１７】
2020087390.tif 000019
【図１８】
2020087390.tif 000020
【図１９】
2020087390.tif 000021
【図２０】
2020087390.tif 000022
【図２１】
2020087390.tif 000023
【手続補正書】
【提出日】平成31年3月14日(2019.3.14)
【手続補正１】
【補正対象書類名】図面
【補正対象項目名】図５
【補正方法】変更
【補正の内容】
【図５】
2020087390.tif 000024
【手続補正２】
【補正対象書類名】図面
【補正対象項目名】図７
【補正方法】変更
【補正の内容】
【図７】
2020087390.tif 000025
【手続補正３】
【補正対象書類名】図面
【補正対象項目名】図１４
【補正方法】変更
【補正の内容】
【図１４】
2020087390.tif 000026
【手続補正４】
【補正対象書類名】図面
【補正対象項目名】図１６
【補正方法】変更
【補正の内容】
【図１６】
2020087390.tif 000027
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
折畳み又は重ね合せ式両面窓孔付の基盤と操作盤を同心にして、軸支材で契合した横半転型の干支求め両面回転盤であって、操作盤Ａ面外周に６０干支に続く同心円欄の其々に四柱推命の生年・月・日・時の四柱様態を、中央に十干十二支で構成の６０干支を配す。操作盤Ｂ面外周に６０年間の西暦・年号を二段と６０干支、次段同心円欄は陰陽五行と関連の（１）から（６）項の六区画は、Ａ面全体に関る要点説明で、中央に６０干支を配す。基盤と操作盤（６０干支と西暦・年号両面一致の同方向回転）を組合せて両面回転盤を横反転した際に、基盤のＡ面窓孔外周に陰陽五行に伴う十干支と下段に四柱の様態。基盤Ｂ面窓孔外周に西暦・年号１０年間が二段と十干支はＡ面との照合一致確認策、両面連携で構成の横半転型干支求め表セット一体型の両面回転盤。
【請求項２】
折畳み又は重ね合せ式両面窓孔付基盤と操作盤を同心にして、軸支材で契合した縦半転型の干支求め両面回転盤であって操作盤Ａ面外周に６０干支、続く同心円欄其々に四柱推命の生年・月・日・時柱を、中央に十干十二支で構成の６０干支を配す。操作盤Ｂ面外周に６０年間の西暦・年号を二段と６０干支、縦半転に伴う同方向回転策で操作盤のＡ面とＢ面は３０干支分の１８０度のずれを有し、両面回転盤を縦半転した際に、基盤Ａ面の窓孔には外周に十干支、下段に四柱の様態。Ｂ面の窓孔には外周に西暦・年号１０年間が二段と番号・十干支で両面の照合一致確認が可能で、下段はＡ面全体に関る要点説明の六区画の一区画項。両面連携で構成した縦半転型、六十干支求め綴じ帳セット両面回転盤。
【請求項３】
折畳み又は重ね合せ式両面窓孔付基盤と操作盤（４段重ね）を同心にして、軸支材で契合した横半転型・干支求め両面回転盤。Ａ面の操作盤１段目外周に６０干支と同心円欄に陰陽五行に関る年柱を配し２段目・月柱、３段目・日柱、４段目・時柱に６０干支を其々に配した４重式回転盤。対象者の四柱推命操作で盤上に該当の四柱干支が縦列に現れるのが大きな特徴である。操作盤Ｂ面（１段目裏面）外周に６０年間の西暦・年号を二段と６０干支。次段欄は１から６項でＡ面全体に関る要点説明。基盤と操作盤（６０干支と西暦・年号両面一致の同方向回転）を組合せ、両面回転盤を横反転した際に、基盤のＡ面窓孔には外周に陰陽五行に伴う十干支及び下段に四柱の様態。基盤Ｂ面窓孔外周に西暦・年号１０年間が二段、十干支はＡ面と照合一致確認策。両面連携で構成の横半転型の干支求め表セット一体型の両面回転盤。
推命術は六十甲子の組み合わせであり、年・月・日・時柱の５１８，４００組の異なった命式が、盤上の命式板で出来上がる計算（四柱推命・東洋書院）の回転盤である。
【請求項４】
折畳み又は重ね合せ式両面窓孔付基盤と操作盤（４段重ね）を同心にして、軸支材で契合した縦半転型・干支求め両面回転盤。Ａ面の操作盤１段目外周に６０干支と同心円欄に陰陽五行に関る年柱を配し２段目・月柱、３段目・日柱、４段目・時柱に６０干支を其々に配した４重式回転盤。対象者の各段干支操作で盤上に該当の四柱干支が縦列に現れるのが大きな特徴である。操作盤Ｂ面（１段目裏面）外周に６０年間の西暦・年号を二段と６０干支。次段欄は四柱推命他６項目とし、Ａ面全体に関る要点説明。両面は前項と同一で縦半回転に伴う同方向回転策で操作盤のＡ面とＢ面とは、縦半転で３０干支分のずれを要し両面回転盤を縦半転した際に、基盤と操作盤（６０干支と西暦・年号両面一致の同方向回転）を組合せて基盤のＡ面窓孔には外周に陰陽五行に伴う十干支、下段に四柱の様態が。又、基盤Ｂ面窓孔外周に西暦・年号１０年間が二段、十干支はＡ面との照合一致確認策。両面連携で構成の縦半転型、六十干支求め綴じ帳セット両面回転盤。
推命術は六十甲子の組み合わせであり、年・月・日・時柱の５１８，４００組の異なった命式が、盤上の命式板で出来上がる計算（四柱推命・東洋書院）の回転盤である。
【手続補正２】
【補正対象書類名】明細書
【補正対象項目名】００１１
【補正方法】変更
【補正の内容】
【００１１】横半転型【図１】  横半転型・折畳み又は重ね合せ式基盤（両面窓孔付）の斜視図
【図２】  図１の基盤と操作盤の分解斜視図
【図３】  図１の基盤に操作盤を組み合わせた斜視図
【図４】  横半転型Ａ面（実線）と横半転型Ｂ面（点線）の斜視図
【図５】  操作盤Ａ面の部分詳細図
【図６】  操作盤Ｂ面の部分詳細図
【図７】  操作盤Ａ面を基盤に組込んだ（１：甲子〜１０：癸酉）部分の詳細図
【図８】  操作盤Ｂ面を基盤に組込んだ（１０：癸酉〜１：甲子）部分の詳細図
【手続補正３】
【補正対象書類名】明細書
【補正対象項目名】００１２
【補正方法】変更
【補正の内容】
【００１２】縦半転型【図９】  縦半転型・折畳み又は重ね合せ式基盤（両面窓孔付）の斜視図
【図１０】  図９の基盤と操作盤の分解斜視図
【図１１】  図９の基盤に操作盤を組み込んだ斜視図
【図１２】  縦半転型Ａ面（実線）と縦半転型Ｂ面（点線）の斜視図
【図１３】  六十干支表及び四柱に関る年・月・日・節入日時及び時柱番号綴り帳
【図１４】  操作盤Ａ面の部分詳細図
【図１５】  操作盤Ｂ面の部分詳細図
【図１６】  操作盤Ａ面（３１・甲午〜４０・癸卯）を基盤に組込んだ部分の詳細図
【図１７】  操作盤Ｂ面（４０・癸卯〜３１・甲午）を基盤に組込んだ部分の詳細図
【手続補正４】
【補正対象書類名】明細書
【補正対象項目名】００１３
【補正方法】変更
【補正の内容】
【００１３】横・縦半転両型  ００１１  ００１２  ００１４  ００１５  兼用干支表【図１８】  六十干支順位番号・干支表
【図１９】  図２０の誕生年、月、節入り日時など干支番号表の上部分拡大図
【図２０】  四柱推命  誕生年柱、月年柱、節入り日時表
【図２１】  四柱推命  時干支番号表１及び２横半転型【図２２】  横半転型・折畳み又は重ね合せ式基盤（両面窓孔付）の斜視図
【図２３】  図１の基盤と操作盤の分解斜視図
【図２４】  図１の基盤に操作盤を組み合わせた斜視図
【図２５】  横半転型Ａ面（実線）と横半転型Ｂ面（点線）の斜視図
【図２６】  操作盤Ａ面の部分詳細図
【図２７】  操作盤Ｂ面の部分詳細図
【図２８】  操作盤Ａ面（１：甲子〜１０：癸酉）を基盤に組込んだ図に、回転・四柱命式板（点線）を組み入れた詳細図
【図２９】  操作盤Ｂ面を基盤に組込んだ（１０：癸酉〜１：甲子）部分の詳細図縦半転型【図３０】  縦半転型・折畳み又は重ね合せ式基盤（両面窓孔付）の斜視図
【図３１】  図３０の基盤と操作盤の分解斜視図
【図３２】  図３１の基盤に操作盤を組み込んだ斜視図
【図３３】  縦半転型Ａ面（実線）と縦半転型Ｂ面（点線）の斜視図
【図３４】  六十干支表及び四柱に関る年・月・日・節入日時及び時柱番号綴り帳
【図３５】  操作盤Ａ面の部分詳細図
【図３６】  操作盤Ｂ面の部分詳細図
【図３７】  操作盤Ａ面（３１・甲午〜４０・癸卯）を基盤に組込んだ図に、回転・四柱命式板（点線）を組み入れた詳細図
【図３８】  操作盤Ｂ面（４０・癸卯〜３１・甲午）を基盤に組込んだ部分の詳細図
【手続補正５】
【補正対象書類名】図面
【補正対象項目名】全図
【補正方法】変更
【補正の内容】
【図１】
2020087390.tif 000028
【図２】
2020087390.tif 000029
【図３】
2020087390.tif 000030
【図４】
2020087390.tif 000031
【図５】
2020087390.tif 000032
【図６】
2020087390.tif 000033
【図７】
2020087390.tif 000034
【図８】
2020087390.tif 000035
【図９】
2020087390.tif 000036
【図１０】
2020087390.tif 000037
【図１１】
2020087390.tif 000038
【図１２】
2020087390.tif 000039
【図１３】
2020087390.tif 000040
【図１４】
2020087390.tif 000041
【図１５】
2020087390.tif 000042
【図１６】
2020087390.tif 000043
【図１７】
2020087390.tif 000044
【図１８】
2020087390.tif 000045
【図１９】
2020087390.tif 000046
【図２０】
2020087390.tif 000047
【図２１】
2020087390.tif 000048
【図２２】
2020087390.tif 000049
【図２３】
2020087390.tif 000050
【図２４】
2020087390.tif 000051
【図２５】
2020087390.tif 000052
【図２６】
2020087390.tif 000053
【図２７】
2020087390.tif 000054
【図２８】
2020087390.tif 000055
【図２９】
2020087390.tif 000056
【図３０】
2020087390.tif 000057
【図３１】
2020087390.tif 000058
【図３２】
2020087390.tif 000059
【図３３】
2020087390.tif 000060
【図３４】
2020087390.tif 000061
【図３５】
2020087390.tif 000062
【図３６】
2020087390.tif 000063
【図３７】
2020087390.tif 000064
【図３８】
2020087390.tif 000065
【手続補正書】
【提出日】令和1年6月22日(2019.6.22)
【手続補正１】
【補正対象書類名】特許請求の範囲
【補正対象項目名】全文
【補正方法】変更
【補正の内容】
【特許請求の範囲】
【請求項１】
折畳み又は重ね合せ式両面窓孔付の基盤と操作盤を同心にして軸支材で契合した横半転型の干支求め両面回転盤であって、操作盤Ａ面外周に６０干支に続く同心円欄の其々に四柱推命の生年・月・日・時の四柱様態を中央に十干十二支で構成の６０干支を配し操作盤Ｂ面外周に６０年間の西暦・年号を二段と６０干支を、次段同心円欄は陰陽五行と関連の▲１▼から▲６▼項の六区画はＡ面全体に関る要点説明で中央に６０干支を配し。基盤と操作盤（６０干支と西暦・年号両面一致同方向回転）を組合せ横半転した際に、基盤のＡ面窓孔外周に陰陽五行に伴う十干支と下段に四柱の様態。基盤Ｂ面窓孔外周に西暦・年号１０年間が二段と十干支はＡ面との照合一致確認策、両面連携構成で横半転型の両面回転盤。
【請求項２】
折畳み又は重ね合せ式両面窓孔付基盤と操作盤（４段重ね）を同心にして、軸支材で契合した横半転型・干支求め両面回転盤であって、操作盤Ａ面１段目外周に６０干支と同心円欄に陰陽五行に関る年柱、２段目・月柱、３段目・日柱、４段目・時柱に６０干支を其々に配した４重式回転盤。対象者の四柱推命操作で盤上に該当の四柱干支が縦列に現れるのが特徴、又、操作盤Ｂ面（１段目裏面）外周に６０年間の西暦・年号を二段と６０干支。次段欄は▲１▼から▲６▼項でＡ面全体に関る要点説明。基盤と操作盤（６０干支と西暦・年号両面一致の同方向回転）を組合せ、両面回転盤を横反転した際に、基盤のＡ面窓孔には外周に陰陽五行に伴う十干支及び下段に四柱の様態。基盤Ｂ面窓孔外周に西暦・年号１０年間が二段、十干支はＡ面と照合一致確認策。両面連携構成で横半転型の干支求め表セット一体型の両面回転盤。推命術は六十甲子の組み合わせで、年・月・日・時の四柱５１８，４００組の異なる命式が、盤上の命式板（点線）で出来上がる計算（四柱推命  東洋書院・加藤普品著）の回転盤。
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
折畳み又は重ね合せ式両面窓孔付の基盤と操作盤を同心にして軸支材で契合した横半転型の干支求め両面回転盤であって、  操作盤Ａ面外周に６０干支を、続く同心円欄の其々に四柱推命の生年・月・日・時の四柱様態を、中央に十干十二支で構成の６０干支を配し、  操作盤Ｂ面外周に６０年間の西暦・年号を二段と６０干支を、次段同心円欄は陰陽五行と関連の▲１▼から▲６▼項の六区画としてＡ面全体に関る要点説明を、中央に６０干支を配し、  基盤と操作盤（６０干支と西暦・年号両面一致同方向回転）を組合せ横半転した際に、基盤のＡ面窓孔外周には陰陽五行に伴う十干支と下段に四柱の様態、  基盤のＢ面窓孔外周には西暦・年号１０年間が二段とＡ面との照合一致確認のための十干支があらわれるよう、基盤Ａ面及びＢ面の両面連携構成とした、  横半転型の干支求め両面回転盤。
【手続補正２】
【補正対象書類名】明細書
【補正対象項目名】００１１
【補正方法】変更
【補正の内容】
【００１１】横半転型【図１】横半転型・折畳み又は重ね合せ式基盤（両面窓孔付）の斜視図
【図２】図１の基盤と操作盤の分解斜視図
【図３】図１の基盤に操作盤を組み合わせた斜視図
【図４】横半転型Ａ面（実線）と横半転型Ｂ面（点線）の斜視図
【図５】操作盤Ａ面の部分詳細図
【図６】操作盤Ｂ面の部分詳細図
【図７】操作盤Ａ面を基盤に組込んだ（１：甲子〜１０：癸酉）部分の詳細図
【図８】操作盤Ｂ面を基盤に組込んだ（１０：癸酉〜１：甲子）部分の詳細図
【手続補正３】
【補正対象書類名】明細書
【補正対象項目名】００１２
【補正方法】変更
【補正の内容】
【００１２】干支・番号表【図９】六十干支順位番号・干支表
【図１０】図１１の誕生年、月、節入り日時など干支番号表の上部分拡大図
【図１１】四柱推命  誕生年柱、月年柱、節入り日時表
【図１２】四柱推命  時干支番号表１及び２
【手続補正４】
【補正対象書類名】明細書
【補正対象項目名】００１３
【補正方法】削除
【補正の内容】
【手続補正５】
【補正対象書類名】図面
【補正対象項目名】全図
【補正方法】変更
【補正の内容】
【図１】
2020087390.tif 000066
【図２】
2020087390.tif 000067
【図３】
2020087390.tif 000068
【図４】
2020087390.tif 000069
【図５】
2020087390.tif 000070
【図６】
2020087390.tif 000071
【図７】
2020087390.tif 000072
【図８】
2020087390.tif 000073
【図９】
2020087390.tif 000074
【図１０】
2020087390.tif 000075
【図１１】
2020087390.tif 000076
【図１２】
2020087390.tif 000077